(57)【要約】【目的】  簡単な構造で、安価に製作出来て、操作性にも優れたスライドレールのストッパー装置を提供する。【構成】固定側メンバーあるいは中間メンバーに設けられたストッパー突起と移動側メンバーに設けられたストッパー部材のストッパー面とが当接させることにより、移動側メンバーの引き出し方向への摺動を停止させるスライドレールのストッパー装置において、ストッパー突起は、固定側メンバーあるいは中間メンバーの基板前端部を移動側メンバー側に膨出せしめて収納側端面を凸状の当接面をなすと共に、ストッパー部材のストッパー面は、凸状の当接面に対応する凸状に形成されているものである。【選択図】    図５
2006149705.tif 000002
【特許請求の範囲】
【請求項１】
固定側メンバーあるいは中間メンバーに設けられたストッパー突起と移動側メンバーに設けられたストッパー部材のストッパー面が当接して、移動側メンバーの引き出し方向への摺動が停止し、移動側メンバーが、固定側メンバーあるいは中間メンバーから最も引き出された状態となった後、ストッパー部材のストッパー面を移動側メンバー側に変移させて、ストッパー突起とストッパー面の当接状態を解除して、移動側メンバーを固定側メンバーあるいは中間メンバーから抜き出し可能としたスライドレールのストッパー装置において、ストッパー突起は、固定側メンバーあるいは中間メンバーの基板前端部を移動側メンバー側に膨出せしめて、収納側端面を凸状の当接面となすと共に、ストッパー部材のストッパー面は凸状の当接面に対応する凸状に形成されていることを特徴とするスライドレールのストッパー装置。
【発明の詳細な説明】
【技術分野】
【０００１】
本発明は、固定側メンバーあるいは中間メンバーに設けられたストッパー突起と移動側メンバーに設けられたストッパー部材のストッパー面が当接して、移動側メンバーの引き出し方向への摺動が停止し、移動側メンバーが、固定側メンバーあるいは中間メンバーから最も引き出された状態となった後、ストッパー部材のストッパー面を移動側メンバー側に変移させて、ストッパー突起とストッパー面の当接状態を解除して、移動側メンバーを固定側メンバーあるいは中間メンバーから抜き出し可能としたスライドレールのストッパー装置に関するものである。
【背景技術】
【０００２】
従来、上記ストッパー装置のストッパー突起は、固定側メンバーあるいは中間メンバーの基板とは別に、小さな直方体の鉄塊を溶接等にて固定側メンバーあるいは中間メンバーの基板内面に固着して構成し、このストッパー突起の収納側端面にストッパー部材の係止孔の端面（ストッパー面）を当接させていた。（例えば特許文献１参照。）
この場合、ストッパー突起の構成に溶接、仕上げ等の手数が必要となり高価になる欠点があった。この問題を解決するため、保持レールの基板を膨出させてストッパー突起（ロック用部分）を一体に形成したものが提供されている。（例えば特許文献２参照。）
【０００３】
この場合、図６、図７に示すように、スプリングストッパー６ａの係止孔４ａの端面（ストッパー面）１ａはストッパー突起（ロック用部分）３ａの収納側端面２ｂに当接して、移動側メンバー３ｆは停止するが、係止孔４ａの端面（ストッパー面）１ａは単なる長方形状に形成されているので、ストッパー突起（ロック用部分）３ａの収納側端面２ｂと係止孔４ａの端面（ストッパー面）１ａの当接面積３ｃは図７のハッチング部分として示す状態となる。
すなわち、ストッパー突起（ロック用部分）３ａの収納側端面２ｂと係止孔４ａの端面（ストッパー面）１ａとの衝突が長期にわたって繰り返されると、スプリングストッパー６ａの方がストッパー突起（ロック用部分）３ａより硬い材料（ステンレスの板バネ材）で形成され、当接面積３ｃは小さいので、ストッパー突起（ロック用部分）３ａの収納側端面２ｂに係止孔４ａの端面１ａが除々に喰い込んだ状態となる。（図６に示す状態。）
すると、係止孔４ａの端面１ａとストッパー突起（ロック用部分）３ａの収納側端面２ｂの当接状態を解除し、移動側メンバー３ｆを抜き出そうとしても、係止孔４ａの端面１ａの喰い込みによってストッパー突起（ロック用部分）３ａの収納側端面２ｂとの当接状態をスムースに解除することが出来なかった。
【０００４】
【特許文献１】実公昭６３−１３７２５号公報
【特許文献２】特開２００４−２７５４２６号公報
【発明の開示】
【発明が解決しようとする課題】
【０００５】
上記のように、ストッパー突起を鉄塊の溶接等にて構成すると、係止孔の端面（ストッパー面）とストッパー突起の収納側端面の当接面積が大きくなるので、係止孔の端面（ストッパー面）のストッパー突起への喰い込みはなくなり、ストッパー状態の解除はスムースに行う事はできる反面、溶接、仕上げ加工等の手間が必要で、高価となる問題があった。  一方、ストッパー突起（ロック用部分）を基板を膨出させることにより形成すると、安価に製作できるものの、前述したように、係止孔４ａの端面１ａのストッパー突起（ロック用部分）の収納側端面２ｂに対する喰い込みが発生し、操作性が悪くなる問題があった。
本発明は、簡単な構造で、安価に製作出来、操作性にも優れたスライドレールのストッパー装置を提供することを課題とする。
【課題を解決するための手段】
【０００６】
そこで、上記課題を解決する為、本発明が第１の手段として構成したところは、固定側メンバーあるいは中間メンバーに設けられたストッパー突起と移動側メンバーに設けられたストッパー部材のストッパー面が当接して、移動側メンバーの引き出し方向への摺動が停止し、移動側メンバーが、固定側メンバーあるいは中間メンバーから最も引き出された状態となった後、ストッパー部材のストッパー面を移動側メンバー側に変移させて、ストッパー突起とストッパー面の当接状態を解除して、移動側メンバーを固定側メンバーあるいは中間メンバーから抜き出し可能としたスライドレールのストッパー装置において、ストッパー突起は、固定側メンバーあるいは中間メンバーの基板前端部を移動側メンバー側に膨出せしめて、収納側端面を凸状の当接面となすと共に、ストッパー部材のストッパー面は、凸状の当接面に対応する凸状に形成されているものである。
【発明の効果】
【０００７】
請求項１に記載の発明によると、ストッパー突起は、固定側メンバーあるいは中間メンバーの基板前端部を移動側メンバー側に膨出せしめて、収納側端面を凸状の当接面としているので加工が容易で安価に製作出来る。
ストッパー部材のストッパー面は、凸状の当接面に対応する凸状に形成されているので、当接面に対するストッパー面の当接面積が大きくなり、ストッパー面のストッパー突起への喰い込みを防止でき、操作性に優れている。
【発明を実施するための最良の形態】
【０００８】
中間メンバーに設けられたストッパー突起と移動側メンバーに設けられたストッパー部材のストッパー面が当接して、移動側メンバーの引き出し方向への摺動が停止し、移動側メンバーが、中間メンバーから最も引き出された状態となった後、ストッパー部材のストッパー面を移動側メンバー側に変移させて、ストッパー突起とストッパー面の当接状態を解除して、移動側メンバーを中間メンバーから抜き出し可能としたスライドレールのストッパー装置において、ストッパー突起は、中間メンバーの基板前端部を移動側メンバー側に膨出せしめて、収納側端面を凸状の当接面となすと共に、ストッパー部材のストッパー面は、凸状の当接面に対応する凸状に形成されているものである。
【実施例】
【０００９】
以下、実施例を図面に基づいて説明する。
図１〜図３において、符号１００はスライドレールを示し、スライドレール１００は、固定側メンバー１と、固定側メンバー１に摺動自在に保持された中間メンバー２と、中間メンバー２にボールリテーナー４に回転自在に保持されたボール４４・・・を介して摺動自在に保持された移動側メンバー３より構成されている。
【００１０】
すなわち、固定側メンバー１は、基板１０と、上下折曲縁１１、１１よりチャンネル型に形成され、固定側メンバー１のほぼ半分程度の長さとなした合成樹脂製のリテーナー１２・・・に回転自在に保持され、かつ、上下折曲縁１１、１１内面と中間メンバー２の外面間に位置する複数個のボール１３・・・を介して、中間メンバー２を摺動自在に保持している。
そして、固定側メンバー１の基板１０の後端部には、中間メンバー２の収納時ストッパー（図示せず。）が形成され、基板１０の前端部には前記リテーナー１２の引き出し方向への移動範囲を規制するリテーナー前ストッパー（図示せず。）が形成されている。
【００１１】
中間メンバー２は、固定側メンバー１とほぼ同長で、基板２０と上下折曲縁２１、２１より固定側メンバー１と同方向の略チャンネル型に形成され、上下折曲縁２１、２１の外面を前記ボール１３・・・が転動し、上下折曲縁２１、２１の内面をボール４４・・・が転動する。  そして、上下折曲縁２１、２１の後端部には、中間メンバー２の最大引き出し時に、前記固定側メンバー１のリテーナー前ストッパー（図示せず。）に当接したリテーナー１２の後端に前端部が当接して、中間メンバー２の最大引き出し量を規制するリテーナー後ストッパー（図示せず。）が形成され、基板２０の前端部にはストッパー突起５が形成されている。
ストッパー突起５は、基板２０の前端中央部に一部を移動側メンバー３側に膨出して形成され、収納側端面に凸状の当接面５１を有している。
符号５０は、中間メンバー２の前端部分に取付けられた合成樹脂製の案内部材を示している。
【００１２】
前記案内部材５０は、中間メンバー２の基板２０の前端部分に位置し、前側部分を前端部分から収納方向に順次厚みが大きくなる傾斜案内部５２１を前側部分に有し、後端部分にボールリテーナー４の前端部分を保持するリテーナー保持部５２２を有する取付基板５２と、取付基板５２の上下端部に連設され、中間メンバー２と移動側メンバー３の上下折曲縁２１、２１、３１、３１間に位置する案内突条５３、５３と、案内突条５３、５３上端中央部に外方に突出して一体に形成された嵌合突起５４、５４より形成され、中間メンバー２の上下折曲縁２１、２１の前端部に形成された嵌合孔２１１、２１１に前記嵌合突起５４、５４を嵌合した状態で、中間メンバー２の前端部分に取付けられる。
【００１３】
ボールリテーナー４は、帯状金属板にて中間メンバー２の半分程度の長さとし、前記中間メンバー２の基板２０と移動側メンバー３の基板３０との間に挿入可能な大きさのコ字形基板４０と、前記コ字形基板４０の両端部よりＬ字形に突出し、中間メンバー２と移動側メンバー３の各上下折曲縁２１、２１、３１、３１間に位置する上下突出縁４１、４１より断面略コ字形に形成され、上下突出縁４１、４１の摺動方向に複数個のボール４４・・・を回転自在に保持している。
そして、移動側メンバー３が最大引き出し位置に達した状態で、前記案内部材５０のリテーナー保持部５２２にコ字形基板４０が弾性的に外嵌し、保持される。
【００１４】
移動側メンバー３は、固定側メンバー１、中間メンバー２とほぼ同長に形成され、ボールリテーナー４に保持されたボール４４・・・を介して中間メンバー２に摺動自在に保持され、金属製の細条板の短手両端部を外向き円弧状に折り曲げて形成された上下折曲縁３１、３１と基板３０より断面略Ｃ字型に形成されている。
そして、基板３０の内面所定位置にストッパー部材６が設けられ、ストッパー部材６の係止孔６３にストッパー突起５が係合して、移動側メンバー３は中間メンバー２に対して最大引き出し位置で停止し、その後、ストッパー部材６の当接状態を解除する事で、中間メンバー２より抜き出し可能かつ、装着可能となっている。
【００１５】
ストッパー部材６は、図１、図２に示すように、取付基板６１と、弾性変移部６２より移動側メンバー３の材質より硬いステンレスの板バネ材より略ヘの字形に一体に構成されている。
そして、取付基板６１には、その上下前後端部より一体に突出し、移動側メンバー３の上下折曲縁３１、３１の内面に係止する係止突片６１１・・・と、嵌合孔６０が中央部に形成されている。
一方、移動側メンバー３の基板３０には、前記嵌合孔６０に嵌合する嵌合突部３０１と、取付基板６１の収納側端部に当接してストッパー部材６が収納方向に移動するのを防止する移動規制突部３０２が形成されている。
【００１６】
弾性変移部６２には、移動側メンバー３が中間メンバー２に対して所定位置まで引き出された時に、中間メンバー２のストッパー突起５の収納側の当接面５１に当接するストッパー面６４を収納側端部に有する係止孔６３が形成されている。
ストッパー面６４は、図５に示すように凸状の当接面５１に当接した時、その当接面積（図５のハッチィング部分）６４ａが最大となるよう凸状の当接面５１の形状に対応する凸状に形成されている。
符号６５は、係止孔６３の引き出し側端面に移動側メンバー３の基板３０の方向で収納側に傾斜して突出し、移動側メンバー３が中間メンバー２に収納される時、ストッパー突起５の引き出し側端面に接触して、弾性変移部６２を移動側メンバー３の基板３０方向に弾性変移させる収納案内突部を示し、符号３６は弾性変移部６２が弾性変移する時の収納案内突部６５の逃し孔を示している。
【００１７】
すなわち、図４に示す状態（中間メンバー２から移動側メンバー３が最も引き出された状態、ストッパー突起５の当接面５１にストッパー部材６のストッパー面６４が当接した状態）から、移動側メンバー３を抜き出す時は、ストッパー突起５の収納側に連設された操作孔２５より、ドライバー２６の先端を押し入れて、ストッパー部材６の弾性変移部６２を移動側メンバー３の基板３０側に変移させて、収納案内突部６５を逃し孔３６内に位置せしめて、ストッパー突起５の収納側の当接面５１とストッパー面６４の当接状態を解除し、その状態を維持しながら移動側メンバー３を中間メンバー２より抜き出す。
【００１８】
尚、実施例では、固定側メンバー１に中間メンバー２を摺動自在に保持し、中間メンバー２に移動側メンバー３を摺動自在に保持したスライドレール１００の場合について説明しているが、固定側メンバー１に移動側メンバー３を摺動自在に保持したスライドレールの場合は、固定側レール１の前端部にストッパー突起６を設ければよい。
このとき、移動側メンバー３が固定側メンバー１より最も引き出された状態で、ストッパー部材６の先端を固定側メンバー１の前端よりも前方に突出させ、この突出部分を指先で操作することにより、固定側メンバー１より移動メンバー３を抜き出す。
【図面の簡単な説明】
【００１９】
【図１】本発明を具備したスライドレールの要部斜視図
【図２】ストッパー部材の斜視図
【図３】スライドレールの要部拡大断面図
【図４】本発明の要部断面図
【図５】ストッパー面部分の拡大図
【図６】従来の実施例の要部断面図
【図７】従来のストッパー面部分の拡大図
【符号の説明】
【００２０】
１              固定側メンバー
１００          スライドレール
２              中間メンバー
３              移動側メンバー
５              ストッパー突起
５１            当接面
６              ストッパー部材
６４            ストッパー面
【図１】
2006149705.tif 000003
【図２】
2006149705.tif 000004
【図３】
2006149705.tif 000005
【図４】
2006149705.tif 000006
【図５】
2006149705.tif 000007
【図６】
2006149705.tif 000008
【図７】
2006149705.tif 000009